(57)【特許請求の範囲】
【請求項１】
オーディオ信号を含む複数種類のディジタル信号が多重化されて再生最小単位毎にブロック化されたディジタル信号を再生するディジタル信号再生方法において、
上記ディジタル信号は、時間軸方向の予測符号化により圧縮符号化された圧縮映像信号を含み、この圧縮映像信号は参照画像としてフレーム内予測符号化画像及びフレーム間順方向予測符号化画像を有し、上記再生最小単位の先頭に制御情報パックが配置され、
高速再生時に、上記再生最小単位内の圧縮映像信号の少なくとも一部の上記参照画像のデータを再生すると共に、上記再生最小単位内の上記制御情報パックに連続する領域であって上記一部の参照画像データが配置されている連続領域に対応するオーディオ信号を、上記制御情報パック内のアドレス情報に基づいて再生し、
上記制御情報パックは、参照画像のアドレスを含むデータサーチ情報を有し、上記再生最小単位内に上記圧縮映像信号の所定の参照画像データがないことにより、上記データサーチ情報の上記少なくとも一部の参照画像のデータの最後のアドレスが０となるとき、上記再生最小単位の略々半分の連続領域に配置されるオーディオ信号を再生すること
を特徴とするディジタル信号再生方法。
【請求項２】
オーディオ信号を含む複数種類のディジタル信号が多重化されて再生最小単位毎にブロック化されたディジタル信号を読み出して再生するディジタル信号再生装置において、
上記ディジタル信号は、時間軸方向の予測符号化により圧縮符号化された圧縮映像信号を含み、この圧縮映像信号は参照画像としてフレーム内予測符号化画像及びフレーム間順方向予測符号化画像を有し、上記再生最小単位の先頭に制御情報パックが配置され、
高速再生時に、上記再生最小単位内の圧縮映像信号の少なくとも一部の上記参照画像のデータ及び上記再生最小単位内の上記制御情報パックに連続する領域であって上記一部の参照画像データが配置されている連続領域に対応するオーディオ信号を読み出す読出手段と、
この読出手段により読み出された上記オーディオ信号を順次再生するオーディオ再生手段とを有し、
上記制御情報パックは、参照画像のアドレスを含むデータサーチ情報を有し、上記再生最小単位内に上記圧縮映像信号の所定の参照画像データがないことにより、上記データサーチ情報の上記少なくとも一部の参照画像のデータの最後のアドレスが０となるとき、上記再生最小単位の略々半分の連続領域に配置されるオーディオ信号を再生すること
を特徴とするディジタル信号再生装置。
【発明の詳細な説明】
【０００１】
【発明の属する技術分野】
本発明は、ディジタルオーディオ信号がディジタルビデオ信号等と共に多重化されたディジタル信号を再生するためのディジタル信号再生方法及び装置に関し、特に、記録媒体に記録されたディジタル信号を２倍速等で高速再生する場合に好適なディジタル信号再生方法及び装置に関する。
【０００２】
【従来の技術】
ディジタルビデオ信号やディジタルオーディオ信号等が記録された光ディスク等の記録媒体として、いわゆるディジタルビデオディスク（以下ＤＶＤという）が知られている。
【０００３】
このＤＶＤフォーマットでは、情報の内容であるコンテンツを再生するための基本的なユニットとしてセル（Cell）があり、このセルはさらに再生最小単位であるビデオオブジェクトユニット（Video Object Unit：VOBU） という０．４秒〜１．２秒の再生ユニットから成っている。この再生最小単位であるVOBUの先頭には制御情報パックであるナビゲーションパック（Navigation Pack：NV_PCK） が配されている。このNV_PCKには、再生制御情報（Presentation Control Information：PCI） 及びデータサーチ情報（Data Search Information：DSI）が含まれており、これらの情報は、例えば高速再生時等に上記再生最小単位であるVOBUの前後をスキャンするためのVOBUのアドレス情報として用いられる。
【０００４】
ここで図３は、上記ＤＶＤフォーマットのデータ構造を示している。この図３に示すように、ビデオオブジェクトセット（Video Object Set：ＶＯＢＳ）単位で主映像データ，副映像データ，音声データを管理する。このＶＯＢＳは、例えば、映画の１作品等の単位となる。このＶＯＢＳは、複数のビデオオブジェクト（Video Object：ＶＯＢ）から構成されている。このＶＯＢは、各データがディスク上に１群として記録されている単位である。また、このＶＯＢＳは、複数のセル（Cell）で構成されている。このCellは、例えば映画における１シーンや１カット等の単位となり、１Cellが数分から１０数分という時間の単位である。また、ＤＶＤでは、例えば、１つの映画を複数のストーリー展開で見ることができるマルチストーリといったフォーマットやいわゆるパレンタルロックといわれる暴力シーンなどの教育上好ましくないシーンをとばしたりする機能を備えており、このような機能は、このCellの組み合わせにより作成される。
【０００５】
１つのセル（Cell）は、複数のビデオオブジェクトユニット（Video Object Unit：ＶＯＢＵ） により構成されている。このＶＯＢＵは、動画像で０．４から１．２秒の単位であり、このＶＯＢＵの中に、いわゆるＭＰＥＧのフォーマットにおける例えば１つのＧＯＰ（Group Of Pictures） が含まれることになる。なお、上記ＭＰＥＧとは、ＩＳＯ−ＩＥＣ／ＪＴＣ１／ＳＣ２／ＷＧ１１にて議論され、標準案として提案されたものであり、動き補償予測符号化と離散コサイン変換（ＤＣＴ：Discrete Cosine Transform） 符号化とを組み合わせたハイブリッド方式のデータ圧縮規格である。上記ＶＯＢＵ内に含まれるＭＰＥＧ規格のＧＯＰ（グループオブピクチャ）内には、フレーム内予測符号化画像（イントラ符号化画像、Ｉピクチャ）と、フレーム間順方向予測符号化画像（Ｐピクチャ）と、フレーム間双方向予測符号化画像（Ｂピクチャ）とを有しており、１ＧＯＰが例えば１５フレームから構成される場合には、１フレームのＩピクチャと、４フレームのＰピクチャと、１０フレームのＢピクチャとを有している。
【０００６】
このように１ＧＯＰが例えば１５フレームから構成される場合のＭＰＥＧ方式におけるフレーム間予測の構造の一例を図４の（ａ）に示す。
【０００７】
この図４の（ａ）において、Ｉピクチャは、１フレーム内において予測符号化されたフレーム内予測符号化画像であり、Ｐピクチャは、既に符号化された時間的に前のフレーム（Ｉピクチャ又はＰピクチャ）を参照して予測するフレーム間順方向予測符号化画像であり、Ｂピクチャは、時間的に前後の２フレームを参照して予測する双方向予測符号化画像である。
【０００８】
すなわち、矢印で図示するように、ＩピクチャＩ０は、そのフレーム内のみで予測符号化されており、ＰピクチャＰ０は、ＩピクチャＩ０を参照してフレーム間予測符号化されており、ＰピクチャＰ１は、ＰピクチャＰ０をに参照してフレーム間予測符号化されている。更に、ＢピクチャＢ０，Ｂ１は、ＩピクチャＩ０とＰピクチャＰ０との２つを参照してフレーム間予測符号化されており、ＢピクチャＢ２，Ｂ３は、ＰピクチャＰ０とＰピクチャＰ１との２つを参照してフレーム間予測符号化されている。そして、以下同様に予測符号化されて、以降のピクチャが作成されている。なお、各ピクチャの符号中の添え字は、テンポラリ・リファレンス（以下、ＴＲと称する。）を表している。ここで、ＴＲは、ＧＯＰの中の画面順を表すものであり、通常の画像再生時には、このＴＲの順に各フレームが再生される。
【０００９】
ところで、このように予測符号化されたピクチャを復号するには、Ｉピクチャはフレーム内での予測符号化が行われているため、Ｉピクチャのみで復号することができるが、Ｐピクチャは時間的に前のＩピクチャ又はＰピクチャを参照して予測符号化されているため、時間的に前のＩピクチャ又はＰピクチャが復号時に必要とされ、Ｂピクチャは時間的に前後のＩピクチャ又はＰピクチャを参照して予測符号化されているため、時間的に前後のＩピクチャ又はＰピクチャが復号時に必要とされる。
【００１０】
そこで、復号時に必要とされるピクチャを先に復号しておけるように、図４の（ｂ）に示すようにピクチャを入れ替えておく。すなわち、ＢピクチャＢ−１，Ｂ−２は、復号時に先行するＧＯＰのＩピクチャ又はＰピクチャとＩピクチャＩ０とを必要とするため、ＢピクチャＢ−１，Ｂ−２よりＩピクチャＩ０が先行するようにしておく。ＢピクチャＢ０，Ｂ１は、復号時にＩピクチャＩ０とＰピクチャＰ０とを必要とするため、ＢピクチャＢ０，Ｂ１よりＰピクチャＰ０が先行するようにしておく。ＢピクチャＢ２，Ｂ３は、復号時にＰピクチャＰ０とＰピクチャＰ１とを必要とするため、ＢピクチャＢ２，Ｂ３よりＰピクチャＰ１が先行するようにしておく。ＢピクチャＢ４，Ｂ５は、復号時にＰピクチャＰ１とＰピクチャＰ２とを必要とするため、ＢピクチャＢ４，Ｂ５よりＰピクチャＰ２が先行するようにしておく。ＢピクチャＢ６，Ｂ７は、復号時にＰピクチャＰ２とＰピクチャＰ３とを必要とするため、ＢピクチャＢ６，Ｂ７よりＰピクチャＰ３が先行するようにしておく。このようにＭＰＥＧ方式では、復号を行う順序（デコーディングオーダ）と、表示する画像の順序（プレゼンテーションオーダ）とが異なるものとなる。
【００１１】
再び図３に戻って、１つのＶＯＢＵは、ＶＯＢＵの管理情報等を有する制御情報パックであるＮＶ＿ＰＣＫ（ナビゲーションパック）と、主映像を有するパックであるＶ＿ＰＣＫ（ビデオパック）と、オーディオデータを有するパックであるＡ＿ＰＣＫ（オーディオパック）と、副映像データを有するパックであるＳＰ＿ＰＣＫ（サブピクチャパック）とにより構成されている。このＶ＿ＰＣＫ、Ａ＿ＰＣＫ、ＳＰ＿ＰＣＫは、それぞれＭＰＥＧ２等のフォーマットで圧縮されて記録媒体である光ディスク上に記録されている。
【００１２】
図５は、ＶＯＢＵの先頭に配される制御情報パックであるＮＶ＿ＰＡＣ（ナビゲーションパック）の構造を示している。この図５に示すように、ＮＶ＿ＰＡＣ内には、パックヘッダ（Pack header）、システムヘッダ（System header）に続いて、ＰＣＩ（Presentation Control Information） パケット、ＤＳＩ（Data Search Information）パケットが配され、これらのＰＣＩパケット、ＤＳＩパケット内にそれぞれＰＣＩデータ、ＤＳＩデータが配されている。
【００１３】
さらに、ＤＳＩデータ内には、図示しないがＤＳＩの一般情報であるDSI_GI（DSI General Information） が含まれており、このDSI_GI内に、上記ＭＰＥＧの各ピクチャの内の参照画像（reference picture ：Ｉピクチャ及びＰピクチャ）についてのエンドアドレス、具体的にはＶＯＢＵ内の１番目の参照画像のエンドアドレスVOBU_1STREF_EA、ＶＯＢＵ内の２番目の参照画像のエンドアドレスVOBU_2NDREF_EA、ＶＯＢＵ内の３番目の参照画像のエンドアドレスVOBU_3RDREF_EAのデータが含まれている。
【００１４】
【発明が解決しようとする課題】
ところで、２倍速再生のような順方向、逆方向の高速再生を行う際に、上記NV_PCKのアドレス情報を用いて得られたアドレスの映像だけを再生するのでは、例えば人物が出ていない場面や、映像が殆ど動かない場面をスキャンしているときに、再生装置の操作者が目的の部分を見つけ出すことが困難なことが多い。
【００１５】
本発明は、このような実情に鑑みてなされたものであり、高速再生時に映像のみならず音声（オーディオ）も同時に再生することによって、画像情報だけでなくオーディオ情報によりサーチを容易化できるようなディジタル信号再生方法及び装置の提供を目的とする。
【００１６】
【課題を解決するための手段】
本発明は、上述した課題を解決するために、オーディオ信号を含む複数種類のディジタル信号が多重化されて再生最小単位毎にブロック化されたディジタル信号を再生する際に、上記ディジタル信号は、時間軸方向の予測符号化により圧縮符号化された圧縮映像信号を含み、この圧縮映像信号は参照画像としてフレーム内予測符号化画像及びフレーム間順方向予測符号化画像を有し、上記再生最小単位の先頭に制御情報パックが配置され、高速再生時に、上記再生最小単位内の圧縮映像信号の少なくとも一部の上記参照画像のデータを再生すると共に、上記再生最小単位内の上記制御情報パックに連続する領域であって上記一部の参照画像データが配置されている連続領域に対応するオーディオ信号を、上記制御情報パック内のアドレス情報に基づいて再生し、上記制御情報パックは、参照画像のアドレスを含むデータサーチ情報を有し、上記再生最小単位内に上記圧縮映像信号の所定の参照画像データがないことにより、上記データサーチ情報の上記少なくとも一部の参照画像のデータの最後のアドレスが０となるとき、上記再生最小単位の略々半分の連続領域に配置されるオーディオ信号を再生することを特徴とする。
【００１８】
ここで、上記再生最小単位とは、例えばいわゆるＤＶＤフォーマットにおけるＶＯＢＵ（Video Object Unit） のことであり、上記連続領域とは、上記一部の参照画像が飛び飛びに配置されている場合の参照画像の間の部分も含む連続する領域のことである。上記参照画像とは、時間軸方向の予測符号化の際に参照される画像のことであり、具体的には、ＭＰＥＧフォーマットにおけるフレーム内予測符号化画像（Ｉピクチャ）及びフレーム間順方向予測符号化画像（Ｐピクチャ）が挙げられる。また、上記所定の画像データの具体例としては、上記ＶＯＢＵ内の１番目から３番目までの参照画像のデータが挙げられ、特に３番目の参照画像データが無いと判断されたとき、ＶＯＢＵの半分の領域内のオーディオデータを読み出して再生することが挙げられる。
【００１９】
このように、高速再生時に、再生最小単位の一部領域の映像信号を再生すると同時に、その一部領域のオーディオ信号も再生することにより、絵の情報だけでなく音声情報によってもサーチが行える。
【００２０】
【発明の実施の形態】
以下、本発明に係る好ましい実施の形態について説明する。
図１は、本発明に係るディジタル信号再生方法の実施の形態を説明するためのタイムチャートである。
【００２１】
この図１において、（Ａ）は標準再生速度での再生時、すなわち通常再生時に得られるデータを示しており、上述した再生最小単位であるVOBUの内部には、制御情報パックであるナビゲーションパック（NV_PCK）を先頭として、複数のパック、例えばビデオパック（V_PCK） 、オーディオパック（A_PCK） 等が配置されている。
【００２２】
標準再生速度よりも高速の２倍速等の高速再生時には、１つのVOBU内の複数のビデオパック（V_PCK） より成るＭＰＥＧ規格の１ＧＯＰ内の参照画像（リファレンスピクチャ：Ｉピクチャ及びＰピクチャ）の一部を再生する。例えば、本件出願人により先に提案されている特願平７−３２９４４号の明細書及び図面には、１つのＧＯＰ内の１枚のＩピクチャと、Ｉピクチャの後に現れる２枚のＰピクチャを再生して、次のＧＯＰに移ることにより高速再生を行う技術が開示されている。ここで、例えば、１つのVOBU内のビデオデータが１つのＧＯＰに対応し、１ＧＯＰが１フレームのＩピクチャと、４フレームのＰピクチャと、１０フレームのＢピクチャから成るものとしている。
【００２３】
このとき、本実施の形態においては、１つのVOBU内のビデオデータの内の上記１枚のＩピクチャと、Ｉピクチャの後に現れる２枚のＰピクチャを再生するための複数のビデオパック（V_PCK） が配置されている範囲のVOBUの先頭からの連続領域ＨＳ内にあるオーディオパック（A_PCK） のオーディオ信号を順次再生するようにしている。
【００２４】
すなわち、ＤＶＤ等のランダムアクセス可能な記録媒体からディジタル信号を読み取る際に、図１の（Ａ）に示すような記録内容における１VOBU内の上記３枚の参照画像（Ｉピクチャ及び２枚のＰピクチャ）に相当する領域ＨＳのディジタル信号を図１の（Ｂ）に示すように読み込み、この領域ＨＳ内のビデオパック（V_PCK） のビデオデータの内の上記３枚の参照画像のデータを用いて復号し、図１の（Ｃ）に示すように、１枚のＩピクチャ及び２枚のＰピクチャを再生し表示する。このときの上記領域ＨＳ内にあるオーディオパック（A_PCK） のオーディオ信号を、図１の（Ｄ）に示すように順次再生する。
【００２５】
なお、上記VOBU内にビデオデータが存在しない場合（例えば静止画再生の場合等）、あるいは上記３枚の参照画像の内の３枚目のビデオデータが存在しない場合には、１VOBU内の所定の一部の領域、例えば１VOBU内の略々半分の領域に対応するオーディオパック（A_PCK） のオーディオ信号を順次再生する。
【００２６】
次に、上述のような高速再生時のオーディオ信号再生動作を実現するための回路構成の一例について、図２を参照しながら説明する。図２は、ディジタルビデオディスク（ＤＶＤ）再生装置のブロック図である。
【００２７】
この図２において、ＤＶＤ再生装置１００は、記録媒体（光ディスク）１からＲＦ信号を再生するピックアップ２と、このピックアップ２により再生されたＲＦ信号が供給されこのＲＦ信号の２値化処理等をするＲＦ回路３と、ＲＦ回路３からの再生データが供給されエラー訂正等のデコード処理をするデータデコーダ４と、データデコーダ４によりデコード処理がされた再生データを主映像圧縮データ，副映像圧縮データ及び音声圧縮データに振り分けるデマルチプレクサ５とを備える。
【００２８】
また、このＤＶＤ再生装置１００は、上記主映像圧縮データを伸張するビデオデコーダ６と、上記副映像圧縮データを伸張して主映像データと合成する副映像デコーダ７と、上記音声圧縮データを伸張するオーディオデコーダ８と、副映像デコーダ７からの主映像データと副映像データが合成された映像データが供給されＮＴＳＣ信号又はＰＡＬ信号に変換するディジタル／ＮＴＳＣ，ＰＡＬ変換回路（以下、単にＮＴＳＣ変換回路という。）９と、オーディオデコーダ８からのオーディオデータが供給されアナログ信号に変換するディジタル／アナログ変換回路（以下、単にＤ／Ａ変換回路という。）１０とを備える。
【００２９】
また、このＤＶＤ再生装置１００は、ピックアップ２，ＲＦ回路３，データデコーダ４，デマルチプレクサ５，ビデオデコーダ６，副映像デコーダ７，オーディオデコーダ８，ＮＴＳＣ変換回路９及びＤ／Ａ変換回路１０を制御するコントローラ１１と、このコントローラ１１とユーザーの操作入力を媒介するユーザーインターフェース１２と、コントローラ１１のデータ記憶部となるメモリ１３とを備える。
【００３０】
ＤＶＤ再生装置１００は、記録媒体１として再生専用，追記型，書換型等のＤＶＤディスク及びＤＶＤ−ＶＩＤＥＯディスクを再生する。
【００３１】
ピックアップ２は、記録媒体１からＲＦ信号を再生して、ＲＦ回路３に供給する。
【００３２】
ＲＦ回路３は、このＲＦ信号の波形等化及び２値化等をしてディジタルデータとその同期信号等を生成する。このＲＦ回路３により生成されたディジタルデータ等は、データデコーダ４に供給される。
【００３３】
データデコーダ４は、ＲＦ回路３により生成されたディジタルデータに基づきデータの復調や誤り訂正等の処理を行う。データデコーダ４により復調等がされたディジタルデータは、デマルチプレクサ５に供給される。
【００３４】
また、このデータデコーダ４では、ＭＰＥＧ２のフォーマットにおけるシステムヘッダや、パックヘッダ等に含まれるパラメータ情報やＤＶＤフォーマットにおけるナビゲーションパック（Navigation Pack：NV_PCK） に含まれる所定の情報等を検出する。この検出したパラメータ情報等は、データデコーダ４からコントローラ１１に供給される。
【００３５】
また、このデータデコーダ４は、ディジタルデータの出力段にトラックバッファ４ａを有している。このトラックバッファ４ａによりデータデコーダ４とデマルチプレクサ５の処理速度の違いが吸収される。
【００３６】
デマルチプレクサ５は、データデコーダ４によりエラー訂正のデコード処理等がされたディジタルデータを、主映像圧縮データと、副映像圧縮データと、音声圧縮データとに分割する。
【００３７】
ここで、主映像圧縮データとは、ＭＰＥＧ２の方式で圧縮された映像データであり、例えばＤＶＤのフォーマットにおけるVideo streams である。副映像圧縮データとは、主映像に合成される字幕画像等のデータであり、例えば、ＤＶＤのフォーマットにおけるSub-picture streams である。音声圧縮データとは、ＭＰＥＧ２等の方式で圧縮等された音声データであり、ＤＶＤのフォーマットにおけるAudio streamsである。
【００３８】
デマルチプレクサ５は、主映像圧縮データをビデオデコーダ６に供給し、副映像圧縮データを副映像デコーダ７に供給し、音声圧縮データをオーディオデコーダ８に供給する。
【００３９】
ビデオデコーダ６は、主映像圧縮データの復号処理を行い、この復号処理により伸張化された主映像データを生成する。このビデオデコーダ６は、復号処理を行うために３画面分のメモリを有している。すなわち、ＭＰＥＧ２のフォーマットにおける上記Ｉピクチャ，Ｐピクチャ，Ｂピクチャを復号してビデオデコーダ６のメモリに格納し、さらに、この復号された各ピクチャをこのメモリ上から出力する。このメモリは、３画面分に限らず、これ以上の容量があってもよい。ビデオデコーダ６は、生成した主映像データを副映像デコーダ７に供給する。
【００４０】
副映像デコーダ７は、副映像圧縮データの復号処理を行い、この復号処理をした副映像データをビデオデコーダ６から供給された主映像データに合成して、映像データを生成する。すなわち、副映像デコーダ７は、副映像データとして再生される字幕画像等を主映像と合成する。なお、この副映像デコーダ７は、副映像データが無い場合には、主映像データをそのまま映像データとして出力する。副映像デコーダ７は、生成した映像データをＮＴＳＣ変換回路９に供給する。
【００４１】
オーディオデコーダ８は、音声圧縮データの復号処理を行い、伸張した音声データを生成する。すなわち、オーディオデコーダ８は、音声圧縮データがＭＰＥＧ２のフォーマットで圧縮されていれば、これに対応した伸張処理をして、音声データを生成する。なお、この音声データがこのＭＰＥＧ２のフォーマットの他に、ＰＣＭ等のフォーマットで符号化されたものであれば、これに対応した復号処理を行う。オーディオデコーダ８は、生成した音声データをＤ／Ａ変換回路１０に供給する。
【００４２】
ＮＴＳＣ変換回路９は、映像データをディジタルデータからＮＴＳＣやＰＡＬ等のテレビジョン信号に変換して出力する。この出力をモニタ等に供給することにより、ユーザーが記録媒体１から再生した映像を視聴することができる。
【００４３】
Ｄ／Ａ変換回路１０は、ディジタルデータである音声（オーディオ）データをアナログの音声データに変換して出力する。この出力をスピーカ等に供給することにより、ユーザーが記録媒体１から再生した映像を視聴することができる。
【００４４】
コントローラ１１は、ピックアップ２，ＲＦ回路３，データデコーダ４，デマルチプレクサ５，ビデオデコーダ６，副映像デコーダ７，オーディオデコーダ８，ＮＴＳＣ変換回路９及びＤ／Ａ変換回路１０の制御を行う。また、このコントローラ１１には、操作パネルやリモートコントローラであるユーザーインターフェース１２を介して操作入力がされ、この操作入力に基づき各回路の制御を行う。また、コントローラ１１は、メモリ１３に各制御データ等を記憶させ、メモリ１３が記憶したデータに基づき各回路の制御を行う。
【００４５】
ところで、上述したような高速再生時には、記録媒体１上で再生するVOBUのアドレスからデータをピックアップ２，ＲＦ回路３，データデコーダ４を介して、デマルチプレクサ５に供給するが、データデコーダ４では、上記制御情報パックであるNV_PCKのＤＳＩ（データサーチ情報）から、上記３枚の参照画像（Ｉピクチャ及びＰピクチャ）に相当するビデオパック（V_PCK） データが入っている最後のアドレス（エンドアドレス）、すなわち３枚目の参照画像のアドレス（VOBU_3RDREF_EA）が得られるので、各VBOU毎にこの３番参照画像アドレス（VOBU_3RDREF_EA）までのデータのみをデマルチプレクサ５に出力するようにする。
【００４６】
ただし、上記NV_PCKのＤＳＩから得られるＩピクチャ，Ｐピクチャのエンドアドレス（VOBU_1STREF_EA，VOBU_2NDREF_EA，VOBU_3RDREF_EA）が全て０の場合、あるいは３番目の参照画像のエンドアドレスVOBU_3RDREF_EAが０の場合にも音声を出力できるようにするために、VBOUの最終アドレスまでの半分のアドレスまで出力するようにする。
【００４７】
コントローラ１１は、上記NV_PCKの情報を得るようにする。NV_PCK以降の主映像圧縮データ（ビデオデータ）はビデオデコーダ６に送られ、コントローラ１１は、上記３枚の参照画像であるＩピクチャ及びＰピクチャだけデコードするようにビデオデコーダ６に指示する。
【００４８】
順方向の高速再生、いわゆるフォワードスキャン（Forward Scan）の場合は、参照画像の１枚をデコードする毎に順次表示してゆく。また、音声データは、オーディオデコーダ８に送られ、オーディオデコーダ８は入力段のコードバッファに途切れ途切れの圧縮音声データを蓄えながらデコードし、デコードされたディジタル音声信号はＤ／Ａ変換回路１０でアナログ音声信号に変換されて出力される。
【００４９】
逆方向の高速再生、いわゆるバックワードスキャン（Backward Scan） の場合は、上記３枚の参照画像の全てをデコードしておき、次のVOBUの主映像圧縮データがビデオデコーダ６に入力された時に、デコードした順序と逆の順序で表示してゆく。音声データは、上記フォワードスキャンと同じ方法で、デマルチプレクサ６を通過したデータをそのままデコードし、出力する。
【００５０】
ここで、デマルチプレクサ５とオーディオデコーダ８との間、あるいはオーディオデコーダ８の入力段には、入力データをバッファリングするためのメモリが設けられるが、このメモリの容量を推奨値（例えば４Ｋバイト）よりも大きくとることにより、フォワードスキャン，バックワードスキャンの双方の場合に、主映像をスキャンする速度に影響を与えないようにすることが好ましい。
【００５１】
例えば、ビデオデータがＭＰＥＧ規格のＭ＝３で符号化されている場合には（参照画像（Ｉ，Ｐピクチャ）間にＢピクチャが２枚入ることになるので、総計４枚をスキップして、Ｉ，Ｐ，Ｐとなるべく速くデコードするためには、ビデオの４フレームの時間分（ＮＴＳＣでは 4/30 秒）以上のバッファメモリ量をとればよいことになる。
【００５２】
このように、オーディオのコードバッファに途切れ途切れの圧縮音声を蓄えながらデコード、再生することによって、供給が断続的でも長い時間の音声再生を可能にすることができる。
【００５３】
なお、本発明は上記実施の形態のみに限定されるものではなく、例えば、高速再生時に再生する参照画像は３枚に限定されない。
【００５４】
【発明の効果】
以上の説明から明らかなように、本発明によれば、オーディオ信号を含む複数種類のディジタル信号が多重化されて再生最小単位毎にブロック化されたディジタル信号を高速に再生する際に、上記再生最小単位内の少なくとも一部の領域に対応するオーディオ信号を順次再生することにより、高速再生時に他のディジタル信号の再生と共にオーディオ信号も再生することができる。
【００５５】
上記ディジタル信号は、時間軸方向の予測符号化により圧縮符号化された圧縮映像信号を含み、高速再生時には上記再生最小単位内の圧縮映像信号の少なくとも一部の参照画像のみを順次再生すると共に、上記再生最小単位内の上記一部の参照画像が配置されている連続領域に対応するオーディオ信号を順次再生することにより、映像信号の高速再生と当時に対応するオーディオ信号が再生され、絵の情報だけでなく音の情報により検索が行えるため、目的の箇所をサーチすることがより容易になる。
【００５６】
また、上記再生最小単位内に上記圧縮映像信号の所定の画像データがないときには、上記再生最小単位の略々半分の領域に対応するオーディオ信号を順次再生することにより、静止画が表示されている場合でも音声情報によって目的箇所のサーチが行える。
【００５７】
また、オーディオのコードバッファに途切れ途切れの圧縮音声を蓄えながらデコードし、再生することによって、供給が断続的でも長い時間の音声再生を可能にすることができる。
【図面の簡単な説明】
【図１】本発明の実施の形態の動作を説明するためのタイムチャートである。
【図２】本発明の実施の形態が適用されるＤＶＤ（ディジタルビデオディスク）再生装置の基本構成を示すブロック図である。
【図３】ＤＶＤフォーマットのデータ構造を示す図である。
【図４】ＭＰＥＧ規格におけるフレーム間予測の構造及び記録フレームの構造を示す図である。
【図５】ナビゲーションパック（NV_PCK）の構造を示す図である。
【符号の説明】
１  記録媒体、  ２  ピックアップ、  ４  データデコーダ、  ４ａ  トラックバッファ、  ５  デマルチプレクサ、  ６  ビデオデコーダ、  ８  オーディオデコーダ、  １１  コントローラ、  １００  ＤＶＤ再生装置
【図１】
0003861362.tif 000002
【図２】
0003861362.tif 000003
【図３】
0003861362.tif 000004
【図４】
0003861362.tif 000005
【図５】
0003861362.tif 000006